(57)【要約】【課題】操作性が良く、オペレータの負担を軽減することができる注文受付装置を提供する。【解決手段】オーダータスク以外の他のタスクの選択を受け付ける受付手段と、オーダータスクの操作画像が表示された領域および選択を受け付けたタスクを操作するための操作画像が表示された領域を含むオーダー入力画面を表示する表示制御手段と、を備えることにより、オーダー業務以外の業務を操作するための画面に切り替えられた後も、オーダー業務を操作することができるので、操作性が良く、オペレータの負担を軽減することができる。【選択図】図１
2010244416.tif 000002
【特許請求の範囲】
【請求項１】
メニュー品目のオーダーに関わるオーダータスクを操作するための操作画像が表示された領域を含むオーダー入力画面を表示する注文受付装置であって、
前記オーダータスク以外の他のタスクの選択を受け付ける受付手段と、
前記オーダータスクの前記操作画像が表示された領域および選択を受け付けたタスクの実行を操作するための操作画像が表示された領域を含む前記オーダー入力画面を表示するする表示制御手段と、
を備えたことを特徴とする注文受付装置。
【請求項２】
前記表示制御手段は、前記オーダータスクの前記操作画像が表示された領域を縮小して前記オーダー入力画面上に新たな領域を生成し、生成した領域に、選択を受け付けたタスクの前記操作画像を表示することを特徴とする請求項１に記載の注文受付装置。
【請求項３】
前記表示制御手段は、前記オーダータスクの前記操作画像が表示された領域の縮小に伴い、前記オーダータスクの前記操作画像を縮小することを特徴とする請求項２に記載の注文受付装置。
【請求項４】
複数の前記操作画像が同時に操作された場合、当該複数の操作画像により操作される複数のタスクを並行して実行する実行手段をさらに備えたことを特徴とする請求項１から３のいずれか一に記載の注文受付装置。
【発明の詳細な説明】
【技術分野】
【０００１】
本発明は、複数のタスクを実行する注文受付装置に関する。
【背景技術】
【０００２】
例えばファミリーレストランや居酒屋等の多くの飲食店では、飲食メニューの注文から会計までを一元的に管理することが可能な注文管理システムが構築されている（特許文献１参照）。特許文献１に開示されているシステムは、代金の会計場所であるレジに設置された電子式キャッシュレジスタまたはＰＯＳ（Point  Of  Sales）端末等の会計装置と、会計装置から送信された各種情報の管理等を実行するステーションと、会計装置に接続されていて注文伝票を印字発行する伝票発行用プリンタと、調理指示票を印刷出力するキッチンプリンタと、から構成されている。ステーションと、伝票発行機、キッチンプリンタ及び会計装置とは、ＬＡＮ（Local  Area  Network）等の通信回線を介して接続されている。
【発明の概要】
【発明が解決しようとする課題】
【０００３】
ところで、特許文献１に開示されている会計装置によれば、オーダー入力画面中のメニュー品目欄の各メニュー品目ボタンに対するタッチによって、オーダーの入力を行うようにしている。そして、オーダーの入力以外の他のタスク（例えば、出勤または退出の入力など）を実行する場合には、オーダー入力画面から他のタスクを実行するための画面に切り替えられてしまい、オーダーの入力ができなくなるので、操作性が悪く、オペレータの負担となっている。
【０００４】
本発明は、上記に鑑みてなされたものであって、操作性を良く、オペレータの負担を軽減することができる注文受付装置を提供することを目的とする。
【課題を解決するための手段】
【０００５】
上述した課題を解決し、目的を達成するために、本発明は、メニュー品目のオーダーに関わるオーダータスクを操作するための操作画像が表示された領域を含むオーダー入力画面を表示する注文受付装置であって、前記オーダータスク以外の他のタスクの選択を受け付ける受付手段と、前記オーダータスクの前記操作画像が表示された領域および選択を受け付けたタスクの実行を操作するための操作画像が表示された領域を含む前記オーダー入力画面を表示するする表示手段と、を備えたことを特徴とする。
【発明の効果】
【０００６】
本発明にかかる注文受付装置は、オーダー業務以外の他の業務を操作する画面に切り替えられた後も、オーダー業務を操作することができるので、操作性が良く、オペレータの負担を軽減することができる、という効果を奏する。
【図面の簡単な説明】
【０００７】
【図１】図１は、接客支援システムの全体構成を概略的に示すシステム構成図である。
【図２】図２は、情報端末を正面側から見た外観形態を示す斜視図である。
【図３】図３は、情報端末を背面側から見た外観形態を示す斜視図である。
【図４】図４は、情報端末の電気的接続を示すブロック図である。
【図５】図５は、ステーションの電気的接続示すブロック図である。
【図６】図６は、部門ファイルのファイル構造を示す模式図である。
【図７】図７は、ＰＬＵファイルのファイル構造を示す模式図である。
【図８】図８は、情報端末の機能構成を示すブロック図である。
【図９】図９は、オーダー入力画面を例示的に示す図である。
【図１０】図１０は、オーダー入力画面を例示的に示す図である。
【図１１】図１１は、業務の実行処理の流れを示すフローチャートである。
【発明を実施するための形態】
【０００８】
以下に添付図面を参照して、この発明にかかる注文受付装置の最良な実施の形態を詳細に説明する。
【０００９】
本発明の実施の一形態を図１ないし図１１に基づいて説明する。本実施の形態は、来店したお客様を接客フロアに配備されているテーブルへご案内し、オーダーを受け付け、給仕（配膳）するという接客の全ての流れの中で、そのような接客業務を支援する接客支援システムの情報端末を注文受付装置として適用した例である。
【００１０】
図１は、接客支援システムの全体構成を概略的に示すシステム構成図である。図１に示す接客支援システム１０１は、接客フロア及びチェックアウトカウンタに設置されている情報端末１０２、キッチンに設置されるキッチンプリンタ１０３、図示しないテーブル上の空間を撮像するライブカメラ１０４、そして、店舗のバックヤード等に設置され接客支援システム１０１全体を制御するサーバとしてのステーション１０５等を備えている。
【００１１】
情報端末１０２は、接客フロアに設置されているものであってもチェックアウトカウンタに設置されているものであっても、その基本的な構造及び機能は変わらない。相違するのは、その使用態様である。つまり、接客フロアに設置されている情報端末１０２は、お客様の案内業務、オーダーの受け付け業務及び給仕（配膳）業務という各業務を支援するのに対して、チェックアウトカウンタに設置されている情報端末１０２は、それらの業務に加えて会計業務をも支援する。つまり、チェックアウトカウンタに設置されている情報端末１０２は、いわゆるＰＯＳ端末としても機能する。このようなことから、情報端末１０２は、接客フロアに設置されているものであってもチェックアウトカウンタに設置されているものであっても、共にレシートや伝票発行用のプリンタ１０６が接続されているのに対して、チェックアウトカウンタに設置されている情報端末１０２は、プリンタ１０６に加えて客面表示装置１０７も接続されている。
【００１２】
図２は、ＰＯＳ端末として機能する情報端末１０２を正面側から見た外観形態を示す斜視図である。情報端末１０２は、本体部１０８の上面に表示デバイスとしての液晶ディスプレイ１０９が載置されて構成されている。液晶ディスプレイ１０９には、その表示面の上に入力デバイスとしてのタッチパネル１１０が積層配置されている。なお、本実施の形態では、複数のポイントを同時に触れて入力することができるマルチタッチパネル１１０を用いるものとする。プリンタ１０６は、情報端末１０２の近傍に隣接設置されており、例えばＵＳＢ等のインターフェースを介して情報端末１０２に接続されている。
【００１３】
図３は、ＰＯＳ端末として機能する情報端末１０２を背面側から見た外観形態を示す斜視図である。図３では、客面表示装置１０７が明確に示されている。客面表示装置１０７は、一例として、７セグメント表示をするＬＥＤ表示装置であり、情報端末１０２の本体部１０８の上面に載置されて設置されている。客面表示装置１０７も、プリンタ１０６と同様に、ＵＳＢ等のインターフェースを介して情報端末１０２に接続されている。
【００１４】
キッチンプリンタ１０３は、図１に示すように、その上面が操作表示面１１１となっており、操作表示面１１１にキーボード１１２や表示器１１３が配置されている。キッチンプリンタ１０３は、例えばサーマルプリンタ（図示せず）を内蔵しており、キッチンで働く調理人のための調理指示伝票（図示せず）を印字発行する。調理指示伝票は、正面に配置された伝票発行口１１４より発行される。
【００１５】
ライブカメラ１０４は、図１に示すように、レンズ１１５から取り込んだ画像を２次元ＣＣＤアレイ（図示せず）に結像させ、ＣＣＤアレイの出力を増幅、Ａ／Ｄ変換、フィルタリング等して動画として出力する構造のものである。ライブカメラ１０４は、接客フロアに配備されている複数台のテーブル（図示せず）上の空間を狙っており、テーブルの上の状況をつぶさに動画映像として配信する。
【００１６】
ステーション１０５は、図１に示すように、小型の液晶ディスプレイ１１６及びキーボード１１７を備えており、各情報端末１０２から送信された各種の情報の管理等を実行する。
【００１７】
以上概略説明した情報端末１０２、キッチンプリンタ１０３、ライブカメラ１０４及びステーション１０５は、ＬＡＮを介して互いにデータ送受信自在に接続されている。そして、情報端末１０２は、お客様をテーブルに案内する案内情報やメニューオーダーについてのオーダー情報の入力が可能であり、入力されたオーダー情報はＬＡＮ経由でステーション１０５に送信され、ステーション１０５から更にＬＡＮ経由でキッチンプリンタ１０３へと送信される。キッチンプリンタ１０３は、受信したオーダー情報に応じた内容の伝票を印字発行する。キッチンプリンタ１０３が印字発行する伝票は、前述したように、注文されたメニュー品目をキッチンの調理人に指示するための調理指示伝票である。ＰＯＳ端末として機能する情報端末１０２は、会計処理を実行する。
【００１８】
図４は、情報端末１０２の電気的接続を示すブロック図である。図４に示すように、情報端末１０２には、マイクロコンピュータ２０１が備えられており、このマイクロコンピュータ２０１が各部を駆動制御する。マイクロコンピュータ２０１は、各部を集中的に制御するＣＰＵ２０２に、バスライン２０３を介して、制御プログラム等の固定的情報を予め記憶するＲＯＭ２０４と、各種情報を書き換え自在に記憶してワークエリア等として機能するＲＡＭ２０５とが接続されて構成されている。したがって、マイクロコンピュータ２０１は、情報処理を実行する情報処理部を構成する。
【００１９】
マイクロコンピュータ２０１には、バスライン２０３を介して、タッチパネルコントローラ２０６、表示コントローラ２０７、ＨＤＤ２０８、インターフェース２０９及び通信インターフェース２１０が接続されている。タッチパネルコントローラ２０６は、タッチパネル１１０からの入力信号をマイクロコンピュータ２０１に取り込む。表示コントローラ２０７は、画像データに基づいて液晶ディスプレイ１０９を駆動制御し、画像データに応じた画像を液晶ディスプレイ１０９に表示させる。インターフェース２０９は、プリンタ１０６や客面表示装置１０７をマイクロコンピュータ２０１に接続させるためのインターフェースであり、前述したように、ＵＳＢ等によって構成されている。通信インターフェース２１０は、マイクロコンピュータ２０１をＬＡＮ経由で他の機器とデータ通信可能にするためのインターフェースである。
【００２０】
ＨＤＤ２０８には、ＯＳ、コンピュータプログラム、各種ファイル等がインストールされている。これらのＯＳ、コンピュータプログラム、各種ファイル等は、情報端末１０２の起動時にその全部又は一部がＲＡＭ２０５にコピーされてＣＰＵ２０２にアクセスされる。ＣＰＵ２０２は、こうしてコピーされたＯＳ及びコンピュータプログラムに従った処理を実行する。
【００２１】
図５は、ステーション１０５の電気的接続を示すブロック図である。図５に示すように、ステーション１０５には、マイクロコンピュータ３０１が備えられており、このマイクロコンピュータ３０１が各部を駆動制御する。マイクロコンピュータ３０１は、各部を集中的に制御するＣＰＵ３０２に、バスライン３０３を介して、制御プログラム等の固定的情報を予め記憶するＲＯＭ３０４と、各種情報を書き換え自在に記憶してワークエリア等として機能するＲＡＭ３０５とが接続されて構成されている。したがって、マイクロコンピュータ３０１は、情報処理を実行する情報処理部を構成する。
【００２２】
マイクロコンピュータ３０１には、バスライン３０３を介して、表示／キーボードコントローラ３０６とＨＤＤ３０７と通信インターフェース３０８とが接続されている。表示／キーボードコントローラ３０６は、画像データに基づいて液晶ディスプレイ１１６を駆動制御することで当該画像データに応じた画像を液晶ディスプレイ１１６に表示させ、また、キーボード１１７からの入力信号をマイクロコンピュータ３０１に取り込む。通信インターフェース３０８は、マイクロコンピュータ３０１をＬＡＮ経由で他の機器とデータ通信可能にするためのインターフェースである。
【００２３】
ＨＤＤ３０７には、ＯＳ、コンピュータプログラム、各種ファイル等がインストールされている。これらのＯＳ、コンピュータプログラム、各種ファイル等は、ステーション１０５の起動時にその全部又は一部がＲＡＭ３０５にコピーされてＣＰＵ３０２にアクセスされる。ＣＰＵ３０２は、こうしてコピーされたＯＳ及びコンピュータプログラムに従った処理を実行する。
【００２４】
図６は、情報端末１０２及びステーション１０５がアクセス可能な部門ファイル４０１のファイル構造を示す模式図である。部門ファイル４０１は、個々の情報端末１０２のＨＤＤ２０８とステーション１０５のＨＤＤ３０７とにインストールされている。ステーション１０５は、個々のＨＤＤ２０８，３０７にインストールされている部門ファイル４０１に食い違いが生じないよう、例えば部門ファイル４０１のレコード更新時や閉店後の夜間時等に、自らのＨＤＤ３０７がインストールしている部門ファイル４０１を情報端末１０２のＨＤＤ２０８にダウンロードする。
【００２５】
部門ファイル４０１は、２桁の部門番号４０１ａに対応させて、部門４０１ｂ、タグ位置４０１ｃ、及び備考４０１ｄというレコードを登録している。部門番号４０１ａは、一例として、
０１：ドリンク
０２：デザート
０３：和膳
０４：和洋食
０５：丼もの
０６：鍋もの
０７：うどん＆そば
０８：一品料理
０９：健菜とサラダ
という部門を登録している。部門４０１ｂには、部門番号４０１ａに登録されているレコードで定義される部門名のテキストが登録されている。タグ位置４０１ｃは、オーダー入力画面Ｄに表示される部門タグＤ１１（図９参照）に対する個々の部門４０１ｂのレコードの割り付けを定義している。備考４０１ｄは、例えば情報管理用に様々な情報をテキストで書き込める欄である。
【００２６】
図７は、情報端末１０２及びステーション１０５がアクセス可能なＰＬＵファイル４０２のファイル構造を示す模式図である。ＰＬＵファイル４０２は、個々の情報端末１０２のＨＤＤ２０８とステーション１０５のＨＤＤ３０７とにインストールされている。ステーション１０５は、個々のＨＤＤ２０８，３０７にインストールされているＰＬＵファイル４０２に食い違いが生じないよう、例えばＰＬＵファイル４０２のレコード更新時や閉店後の夜間時等に、自らのＨＤＤ３０７がインストールしているＰＬＵファイル４０２を情報端末１０２のＨＤＤ２０８にダウンロードする。
【００２７】
ＰＬＵファイル４０２は、コード４０２ａに対応させて、部門４０２ｂ、画像リンク４０２ｃ、メニュー名４０２ｄ、単価４０２ｅ、割付４０２ｆなどのレコードを登録している。コード４０２ａに登録されているレコードは、４桁で表現されている。部門４０２ｂに登録されているレコードは、部門ファイル４０１中の部門４０１ｂに登録されているレコードで定義されている部門を表している。画像リンク４０２ｃは、メニュー品目欄Ｄ１２（図９参照）にメニューボタンＤ１２ａに表示される画像データに対するリンクを定義している。これらの画像は、個々の情報端末１０２のＨＤＤ２０８とステーション１０５のＨＤＤ３０７とにインストールされている。メニュー名４０２ｄには、コード４０２ａに登録されているレコードで定義されるメニュー品目の品名のテキストが登録されている。また、単価４０２ｅには、コード４０２ａに登録されているレコードで定義されるメニュー品目の単価のレコードが登録されている。割付４０２ｆには、コード４０２ａに登録されているレコードで定義されるメニュー品目のメニュー品目欄Ｄ１２（図９参照）におけるメニューボタンＤ１２ａの割付位置が登録されている。
【００２８】
例えば、図６及び図７を参照すると分かるように、コード「０００１」は、「ドリンク」という部門の「ブレンドコーヒー」を定義しており、「￥３５０」という単価を設定している。コード「０００２」は、「ドリンク」という部門の「アイスコーヒー」を定義しており、「￥３５０」という単価を設定している。
【００２９】
次いで、情報端末１０２のＨＤＤ２０８にインストールされたＯＳおよびコンピュータプログラムによりマイクロコンピュータ２０１が実行する処理の内、本実施の形態の情報端末１０２が有している特徴的な処理について説明する。
【００３０】
本実施の形態にかかる情報端末１０２で実行されるコンピュータプログラムは、図８に示すような各部（表示制御部８０１、受付部８０２、実行部８０３）を含むモジュール構成となっており、実際のハードウェアとしてはマイクロコンピュータ２０１のＣＰＵ２０２がＨＤＤ２０８からコンピュータプログラムを読み出して実行することにより上記各部がＲＡＭ２０５上にロードされ、表示制御部８０１、受付部８０２、実行部８０３がＲＡＭ２０５上に生成されるようになっている。
【００３１】
表示制御部８０１は、メニュー品目のオーダーに関わるオーダー業務（例えば、オーダーするメニュー品目の部門４０１ｂを受け付ける業務、メニュー品目のオーダーを受け付ける業務、オーダーしたメニュー品目の会計処理に係る業務など）を操作するためのキーやボタンなどの操作画像が表示されたエリア（部門タグエリアＤ１１、メニューエリアＤ１２、オーダーリストエリアＤ１３、ファンクションキーエリアＤ１５）を含むオーダー入力画面Ｄを液晶ディスプレイ１０９に表示する。
【００３２】
本実施の形態では、表示制御部８０１は、上述したオーダー業務を操作するための操作画像が表示されたエリアに加えて、実行する業務を指定するための操作画像が表示された業務指定キーエリアＤ１４を含むオーダー入力画面Ｄを液晶ディスプレイ１０９に表示する。
【００３３】
部門タグエリアＤ１１には、部門ファイル４０１の部門番号４０１ａに対応して、部門４０１ｂに登録されている部門名のテキストが表示され、オーダーするメニュー品目の部門４０１ｂを受け付ける業務を操作するための操作画像である部門ボタンＤ１１ａが、タッチパネル１１０によるタッチ指定が可能なオブジェクトとして表示されている。
【００３４】
メニューエリアＤ１２には、ＰＬＵファイル４０２のコード４０２ａに対応して、画像リンク４０２ｃで定義されているリンク先の画像データとメニュー名４０２ｄに登録されている品名のテキストとが表示され、オーダーするメニュー品目を受け付ける業務を操作するための操作画像であるメニューボタンＤ１２ａが、タッチパネル１１０によるタッチ指定が可能なオブジェクトとして表示されている。
【００３５】
オーダーリストエリアＤ１３には、タッチパネル１１０によってオーダー入力画面Ｄ上でタッチ指定されたメニュー品目、オーダー数および金額（単価×オーダー数）を含むオーダーリストを閲覧するための「Λ」「Ｖ」や当該オーダーリストに含まれるオーダーを取り消すための「取消」など、会計処理に係る業務を操作するための操作画像であるボタンＤ１３ａが、タッチパネル１１０によるタッチ指定が可能なオブジェクトとして表示されている。
【００３６】
ファンクションキーエリアＤ１５には、オーダー数を増やす処理に係る「数量増」、オーダー数を減らす処理に係る「数量減」など、メニュー品目のオーダーに対する各種のファンクションに係る業務を操作するための操作画像であるキーＤ１５ａが、タッチパネル１１０によるタッチ指定が可能なオブジェクトとして表示されている。
【００３７】
業務指定キーエリアＤ１４には、会計処理に係る業務を指定する「会計」、オーダー送信する業務を指定する「オーダー送信」、オーダーするメニュー品目の部門４０１ｂとオーダーするメニュー品目とを受け付ける業務を指定する「オーダー」、出勤時間および退出時間の登録処理に係る業務を指定する「タイムカード」など、実行する業務を指定するための業務指定キーＤ１４ａが、タッチパネル１１０によるタッチ指定が可能なオブジェクトとして表示されている。
【００３８】
受付部８０２は、オーダー業務以外の業務の選択を受け付けるものであって、オーダー入力画面Ｄに表示される業務指定キーＤ１４がタッチ指定されることにより指定されたオーダー業務以外の業務の選択を受け付ける。
【００３９】
そして、表示制御部８０１は、受付部８０２によりオーダー業務以外の業務（例えば、出勤時間および退出時間の登録処理に係る業務）の選択を受け付けると、図１０に示すように、オーダー業務を操作するための操作画像（部門ボタンＤ１１ａ、メニューボタンＤ１２ａ、ボタンＤ１３ａ、キーＤ１５ａ）が表示されたエリア（部門タグエリアＤ１１、メニューエリアＤ１２、オーダーリストエリアＤ１３、ファンクションキーエリアＤ１５）を縮小して新たなエリア（タイムカードエリアＤ１６）をオーダー入力画面Ｄ上に設け、新たに設けたエリアに選択を受け付けた業務（例えば、出勤時間および退出時間の登録処理に係る業務）を操作するための操作画像を表示する。
【００４０】
なお、表示制御部８０１は、図１０に示すように、オーダー業務の操作画像が表示されたエリアの縮小に伴い、当該エリアに表示された操作画像も縮小するものとする。なお、本実施の形態では、オーダー業務の操作画像が表示されたエリアの縮小に伴い、当該操作画像を縮小しているが、これに限定するものではない。例えば、部門タグエリアＤ１１、メニューエリアＤ１２、オーダーリストエリアＤ１３、ファンクションキーエリアＤ１５に表示された操作画像の数を減らしてもよい。
【００４１】
タイムカードエリアＤ１１には、出勤時間を登録する処理に係る「出勤」や退出時間と登録する処理に係る「退出」などの操作画像であるボタンＤ１６ａが、タッチパネル１１０によるタッチ指定が可能なオブジェクトとして表示されている。
【００４２】
なお、本実施の形態では、オーダー業務の操作画像が表示されたエリアを縮小して新たなエリアを設けているが、オーダー業務の操作画像が表示されたエリアおよび選択を受け付けた業務の操作画像が表示されたエリアを含むオーダー入力画面Ｄを表示するものであれば、これに限定するものではない。例えば、オーダー入力画面Ｄ上にオーダー業務の操作画像が表示されていないエリアが存在する場合、表示制御部８０１は、当該エリアに選択を受け付けた業務の操作画像を表示する。
【００４３】
実行部８０３は、タッチパネル１１０により操作画像がタッチ指定されると、タッチ指定された操作画像により操作される業務を実行するものである。例えば、実行部８０３は、部門タグエリアＤ１１に表示された部門ボタンＤ１１ａがタッチ指定された場合、部門タグエリアＤ１１に表示された操作画像により操作される業務である「ドリンク」、「デザート」、「和膳」、「和洋食」、「丼もの」、「鍋もの」、「うどん＆そば」、「一品料理」、「健菜とサラダ」のうちから所望の部門４０１ｂを受け付ける業務を実行する。そして、実行部８０４は、部門タグエリアＤ１１に表示された部門ボタンＤ１１ａのうち、「一品料理」の部門ボタンＤ１１ａがタッチ指定された場合には、「一品料理」の部門４０１ｂを受け付けるとともに、図９に例示するような「一品料理」についてのオーダー入力画面Ｄの表示を表示制御部８０２に要求する。
【００４４】
また、実行部８０３は、タッチパネル１１０により複数の操作画像（例えば、メニューボタンＤ１２ａおよびボタンＤ１６ａ）がタッチ指定された場合、タッチ指定された複数の操作画像（例えば、メニューボタンＤ１２ａおよびボタンＤ１６ａ）により操作される業務であるオーダーするメニュー品目を受け付ける業務、および出勤時間および退出時間の登録処理に係る業務を並行して実行するものとする。
【００４５】
次に、図１１を用いて、上述したようなオーダー入力画面Ｄを介した業務の実行処理について説明する。図１１は、業務の実行処理の流れを示すフローチャートである。図１１に示すように、実行部８０３は、業務の実行処理に際して、部門タグエリアＤ１１、メニューエリアＤ１２、オーダーリストエリアＤ１３、およびファンクションキーエリアＤ１５のうち少なくとも１つのエリアに表示された操作画像がタッチ指定されると（ステップＳ１１０１：Ｙｅｓ）、タッチ指定された操作画像により操作される業務を実行する（ステップＳ１１０２）。
【００４６】
一方、部門タグエリアＤ１１、メニューエリアＤ１２、オーダーリストエリアＤ１３、およびファンクションキーエリアＤ１５に表示された操作画像がタッチ指定されず（ステップＳ１１０１：Ｎｏ）、業務指定キーエリアＤ１４に表示された業務指定キーＤ１４ａであって、オーダー業務以外の業務の選択を受け付ける業務指定キーＤ１４ａがタッチ指定された場合（ステップＳ１１０３：Ｙｅｓ）、受付部８０２は、タッチ指定された業務指定キーＤ１４ａにより指定された業務の選択を受け付ける（ステップＳ１１０４）。次いで、表示制御部８０１は、オーダー業務を操作するための操作画像が表示されたエリアおよび受付部８０２により選択を受け付けた業務を操作するための操作画像が表示されたエリアを含むオーダー入力画面Ｄを液晶ディスプレイ１０９に表示する（ステップＳ１１０５）。
【００４７】
このように本実施の形態によれば、オーダー業務以外の業務の選択が受け付けられた場合に、オーダーするメニュー品目の部門４０１ｂを受け付ける業務、オーダーするメニュー品目を受け付ける業務、会計処理に係る業務、メニュー品目のオーダーに対する各種のファンクションに係る業務などのメニュー品目のオーダーに関わるオーダー業務を操作するための操作画像が表示されたエリア、および選択を受け付けた業務を操作するための操作画像が表示されたエリアを含むオーダー入力画面Ｄを表示することにより、オーダー業務以外の業務を操作するための画面に切り替えられた後も、オーダー業務を操作することができるので、操作性が良く、オペレータの負担を軽減することができる。
【符号の説明】
【００４８】
１０２  情報端末
８０１  表示制御部
８０２  受付部
８０３  実行部
Ｄ  オーダー入力画面
Ｄ１１  部門タグエリア
Ｄ１１ａ  部門ボタン
Ｄ１２  メニューエリア
Ｄ１２ａ  メニューボタン
Ｄ１３  オーダーリストエリア
Ｄ１３ａ，Ｄ１６ａ  ボタン
Ｄ１６  タイムカードエリア
【先行技術文献】
【特許文献】
【００４９】
【特許文献１】特開２００８−２９９８２１号公報
【図１】
2010244416.tif 000003
【図２】
2010244416.tif 000004
【図３】
2010244416.tif 000005
【図４】
2010244416.tif 000006
【図５】
2010244416.tif 000007
【図６】
2010244416.tif 000008
【図７】
2010244416.tif 000009
【図８】
2010244416.tif 000010
【図９】
2010244416.tif 000011
【図１０】
2010244416.tif 000012
【図１１】
2010244416.tif 000013
【手続補正書】
【提出日】平成22年2月24日(2010.2.24)
【手続補正２】
【補正対象書類名】明細書
【補正対象項目名】０００１
【補正方法】変更
【補正の内容】
【０００１】
本発明は、複数のタスクを実行する注文受付装置およびプログラムに関する。
【手続補正３】
【補正対象書類名】明細書
【補正対象項目名】０００４
【補正方法】変更
【補正の内容】
【０００４】
本発明は、上記に鑑みてなされたものであって、操作性を良く、オペレータの負担を軽減することができる注文受付装置およびプログラムを提供することを目的とする。
【手続補正４】
【補正対象書類名】明細書
【補正対象項目名】０００５
【補正方法】変更
【補正の内容】
【０００５】
上述した課題を解決し、目的を達成するために、本発明は、メニュー品目のオーダーに関わるオーダータスクを操作するための操作画像が表示された領域を含むオーダー入力画面を表示する注文受付装置であって、前記オーダータスク以外の他のタスクの選択を受け付ける受付手段と、前記オーダータスクの前記操作画像が表示された領域および選択を受け付けたタスクの実行を操作するための操作画像が表示された領域を含む前記オーダー入力画面を表示するする表示手段と、を備えたことを特徴とする。また、本発明は、メニュー品目のオーダーに関わるオーダータスクを操作するための操作画像が表示された領域を含むオーダー入力画面を表示する注文受付装置を制御するコンピュータを、前記オーダータスク以外の他のタスクの選択を受け付ける受付手段と、前記オーダータスクの前記操作画像が表示された領域および選択を受け付けたタスクの実行を操作するための操作画像が表示された領域を含む前記オーダー入力画面を表示するする表示制御手段と、として機能させる。
【手続補正５】
【補正対象書類名】明細書
【補正対象項目名】０００６
【補正方法】変更
【補正の内容】
【０００６】
本発明にかかる注文受付装置およびプログラムは、オーダー業務以外の他の業務を操作する画面に切り替えられた後も、オーダー業務を操作することができるので、操作性が良く、オペレータの負担を軽減することができる、という効果を奏する。
【手続補正６】
【補正対象書類名】明細書
【補正対象項目名】０００８
【補正方法】変更
【補正の内容】
【０００８】
以下に添付図面を参照して、この発明にかかる注文受付装置およびプログラムの最良な実施の形態を詳細に説明する。
【手続補正７】
【補正対象書類名】特許請求の範囲
【補正対象項目名】全文
【補正方法】変更
【補正の内容】
【特許請求の範囲】
【請求項１】
メニュー品目のオーダーに関わるオーダータスクを操作するための操作画像が表示された領域を含むオーダー入力画面を表示する注文受付装置であって、
前記オーダータスク以外の他のタスクの選択を受け付ける受付手段と、
前記オーダータスクの前記操作画像が表示された領域および選択を受け付けたタスクの実行を操作するための操作画像が表示された領域を含む前記オーダー入力画面を表示するする表示制御手段と、
を備えたことを特徴とする注文受付装置。
【請求項２】
前記表示制御手段は、前記オーダータスクの前記操作画像が表示された領域を縮小して前記オーダー入力画面上に新たな領域を生成し、生成した領域に、選択を受け付けたタスクの前記操作画像を表示することを特徴とする請求項１に記載の注文受付装置。
【請求項３】
前記表示制御手段は、前記オーダータスクの前記操作画像が表示された領域の縮小に伴い、前記オーダータスクの前記操作画像を縮小することを特徴とする請求項２に記載の注文受付装置。
【請求項４】
複数の前記操作画像が同時に操作された場合、当該複数の操作画像により操作される複数のタスクを並行して実行する実行手段をさらに備えたことを特徴とする請求項１から３のいずれか一に記載の注文受付装置。
【請求項５】
前記表示制御手段は、入力デバイスとしてタッチパネルが表面の上に積層配置された表示部に前記オーダー入力画面を表示することを特徴とする請求項１から４のいずれか一に記載の注文受付装置。
【請求項６】
メニュー品目のオーダーに関わるオーダータスクを操作するための操作画像が表示された領域を含むオーダー入力画面を表示する注文受付装置を制御するコンピュータを、
前記オーダータスク以外の他のタスクの選択を受け付ける受付手段と、
前記オーダータスクの前記操作画像が表示された領域および選択を受け付けたタスクの実行を操作するための操作画像が表示された領域を含む前記オーダー入力画面を表示するする表示制御手段と、
として機能させるためのプログラム。